(57)【要約】【課題】遮光部材を適切に冷却できる調光装置及びプロジェクターを提供する。【解決手段】調光装置５は、通過する光束の中心軸を挟んで配置され、光束の通過領域内にそれぞれ挿抜されて、通過領域内に配置された際に光束の少なくとも一部を遮蔽する一対の遮光部材８，９と、一対の遮光部材８，９を冷却する空気を導く整流部６３２及び第１傾斜部８３２（ガイド部）と、を有し、遮光部材８は、光束の通過方向にそれぞれ離間して配置され、通過領域内にそれぞれ挿抜される入射側遮光部８３（入射側挿入部）及び出射側遮光部８２（出射側挿入部）を有し、整流部６３２及び第１傾斜部８３２部は、入射側遮光部８３及び出射側遮光部８２の間に空気を導く。【選択図】図８
2015169868.tif 000002
【特許請求の範囲】
【請求項１】
通過する光束の中心軸を挟んで配置され、前記光束の通過領域内にそれぞれ挿抜されて、前記通過領域内に配置された際に前記光束の少なくとも一部を遮蔽する一対の遮光部材と、
前記一対の遮光部材を冷却する空気を導くガイド部と、を備え、
前記一対の遮光部材の少なくともいずれかは、前記光束の通過方向にそれぞれ離間して配置され、前記通過領域内にそれぞれ挿抜される入射側挿入部及び出射側挿入部を有し、
前記ガイド部は、前記入射側挿入部及び前記出射側挿入部の間に空気を導くことを特徴とする調光装置。
【請求項２】
請求項１に記載の調光装置において、
前記ガイド部は、前記入射側挿入部及び前記出射側挿入部の少なくともいずれかの、前記空気の流通方向の上流側に設けられる挿入部側ガイド部を含むことを特徴とする調光装置。
【請求項３】
請求項２に記載の調光装置において、
前記挿入部側ガイド部は、前記上流側に向かうに従って、前記入射側挿入部及び前記出射側挿入部のうち前記挿入部側ガイド部が位置する挿入部とは反対側の挿入部から離れる方向に傾斜することを特徴とする調光装置。
【請求項４】
請求項１から請求項３のいずれかに記載の調光装置において、
前記遮光部材を保持するフレームを備え、
前記ガイド部は、前記フレームに設けられるフレーム側ガイド部を含むことを特徴とする調光装置。
【請求項５】
請求項４に記載の調光装置において、
前記フレーム側ガイド部における前記空気の流通方向の下流側の端部は、前記一対の遮光部材が前記通過領域内に挿入された際に、当該一対の遮光部材のうち前記フレーム側ガイド部側の遮光部材における前記流通方向の上流側の端部より前記下流側に位置することを特徴とする調光装置。
【請求項６】
光源装置と、
前記光源装置から出射された光束を変調する光変調装置と、
前記光変調装置により変調された光束を投射する投射光学装置と、
前記光源装置から前記光変調装置に入射される光束の光路上に設けられる、請求項１から請求項５のいずれかに記載の調光装置と、を備えることを特徴とするプロジェクター。
【請求項７】
光源装置と、
前記光源装置から出射された光束を変調する光変調装置と、
前記光変調装置により変調された光束を投射する投射光学装置と、
通過する光束の中心軸を挟んで配置され、前記光束の通過領域内にそれぞれ挿抜されて、前記通過領域内に配置された際に前記光束の少なくとも一部を遮蔽する一対の遮光部材を有し、前記光源装置から前記光変調装置に入射される光束の光路上に設けられる調光装置と、
前記一対の遮光部材を冷却する空気を導くガイド部と、を備え、
前記一対の遮光部材の少なくともいずれかは、前記光束の通過方向にそれぞれ離間して配置され、前記通過領域内にそれぞれ挿抜される入射側挿入部及び出射側挿入部を有し、
前記ガイド部は、前記入射側挿入部及び前記出射側挿入部の間に空気を導くことを特徴とするプロジェクター。
【請求項８】
請求項７に記載のプロジェクターにおいて、
前記調光装置を収納する光学部品用筐体を備え、
前記ガイド部は、前記光学部品用筐体に設けられる筐体側ガイド部を含むことを特徴とするプロジェクター。
【発明の詳細な説明】
【技術分野】
【０００１】
本発明は、調光装置及びプロジェクターに関する。
【背景技術】
【０００２】
従来、光源装置と、当該光源装置から出射された光を変調する光変調装置と、変調された光束を投射する投射光学装置とを備えたプロジェクターが知られている。このようなプロジェクターとして、光変調装置に入射される光量を調整して、投射される画像の輝度を調整するプロジェクターが知られている（例えば、特許文献１参照）。
【０００３】
この特許文献１に記載のプロジェクターは、一対の光源装置、反射ミラー、調光装置、照明光学装置、色分離光学装置、光変調装置としての３つの液晶パネル、プリズム、及び、投射光学装置としての投射レンズを備える。このプロジェクターでは、当該各光源装置から出射された光は、反射ミラーにより同方向に反射され、調光装置を介して照明光学装置に入射される。当該照明光学装置により、光軸に対する直交面内の照度が均一化された光は、色分離光学装置により、赤（Ｒ）、緑（Ｇ）及び青（Ｂ）の色光に分離される。当該各色光は、対応する液晶パネルにより変調され、プリズムにより合成された後、画像として投射レンズにより投射される。
【０００４】
このようなプロジェクターにおいて、調光装置は、一対の遮光部材を備え、当該各遮光部材は、照明光軸に対する直交方向にそれぞれ進退して、光束の通過領域に挿抜される。そして、各遮光部材が、通過する光束の一部を遮蔽することで、各液晶パネルに入射される光量、すなわち、形成される画像の光量（輝度）が調整される。
【先行技術文献】
【特許文献】
【０００５】
【特許文献１】特開２０１０−２１１０３５号公報
【発明の概要】
【発明が解決しようとする課題】
【０００６】
ところで、上記調光装置では、一対の遮光部材による遮光時に、通過する光束の一部が入射されるため、当該遮光部材の温度が高くなりやすい。特に、上記特許文献１に記載のプロジェクターのように、一対の光源装置から出射された光が入射される構成であると、遮光部材の温度上昇は顕著となる。このような問題に対して、例えば、一方の遮光部材側から他方の遮光部材側に流通するように空気を送出し、当該各遮光部材を冷却する構成が考えられる。
しかしながら、遮光部材に沿う空気の流路を安定して形成することが難しく、空気が拡散してしまって各遮光部材を適切に冷却しづらいという問題がある。
【０００７】
本発明は、遮光部材を適切に冷却できる調光装置及びプロジェクターを提供することを目的の一つとする。
【課題を解決するための手段】
【０００８】
本発明の第１態様に係る調光装置は、通過する光束の中心軸を挟んで配置され、前記光束の通過領域内にそれぞれ挿抜されて、前記通過領域内に配置された際に前記光束の少なくとも一部を遮蔽する一対の遮光部材と、前記一対の遮光部材を冷却する空気を導くガイド部と、を備え、前記一対の遮光部材の少なくともいずれかは、前記光束の通過方向にそれぞれ離間して配置され、前記通過領域内にそれぞれ挿抜される入射側挿入部及び出射側挿入部を有し、前記ガイド部は、前記入射側挿入部及び前記出射側挿入部の間に空気を導くことを特徴とする。
【０００９】
上記第１態様によれば、上記ガイド部により、入射側挿入部及び出射側挿入部の間に空気を導くことができるので、各挿入部の間に流通する空気の流通量を増加させることができる。従って、各挿入部を有する遮光部材の冷却効率を向上させることができ、遮光部材を適切に冷却できる。
【００１０】
上記第１態様では、前記ガイド部は、前記入射側挿入部及び前記出射側挿入部の少なくともいずれかの、前記空気の流通方向の上流側に設けられる挿入部側ガイド部を含むことが好ましい。
上記１態様によれば、入射側挿入部及び出射側挿入部の少なくともいずれかにおいて、空気の流路の上流側に設けられた挿入部側ガイド部により、各挿入部に向かう空気を、各挿入部の間により確実に導くことができる。
【００１１】
上記第１態様では、前記挿入部側ガイド部は、前記上流側に向かうに従って、前記入射側挿入部及び前記出射側挿入部のうち前記挿入部側ガイド部が位置する挿入部とは反対側の挿入部から離れる方向に傾斜することが好ましい。
上記第１態様によれば、上記挿入部側ガイド部により、入射側挿入部及び出射側挿入部の上記上流側の端部が拡径されるので、これら挿入部間に確実に空気を導くことができる。一方、挿入部間の空間は、当該上流側の端部より狭くなるので、これら挿入部間を流通する空気の流速を上げることができる。従って、冷却効率を一層向上させることができる。
【００１２】
上記第１態様では、前記遮光部材を保持するフレームを備え、前記ガイド部は、前記フレームに設けられるフレーム側ガイド部を含むことが好ましい。
上記１態様によれば、各挿入部を保持する非可動部であるフレームにフレーム側ガイド部が設けられる。従って、各挿入部の位置に関わらず、各挿入部に向かう空気の流路を安定的に形成できる。
【００１３】
上記第１態様では、前記フレーム側ガイド部における前記空気の流通方向の下流側の端部は、前記一対の遮光部材が前記通過領域内に挿入された際に、当該一対の遮光部材のうち前記フレーム側ガイド部側の遮光部材における前記流通方向の上流側の端部より前記下流側に位置することが好ましい。
上記１態様によれば、一対の遮光部材が通過領域内に挿入された際に、流通方向において、フレーム側ガイド部の下流側の端部が、当該フレーム側ガイド部側の遮光部材の上流側の端部と重なっている。このため、フレーム側ガイド部に導かれた空気が、当該フレーム側ガイド部側の遮光部材に到達する前に拡散することを抑制できる。従って、フレーム側ガイド部は、当該フレーム側ガイド部側の遮光部材の各挿入部の間に、より確実に空気を流通させることができる。
【００１４】
本発明の第２態様に係るプロジェクターは、光源装置と、前記光源装置から出射された光束を変調する光変調装置と、前記光変調装置により変調された光束を投射する投射光学装置と、前記光源装置から前記光変調装置に入射される光束の光路上に設けられる、上記第１態様に係る記載の調光装置と、を備えることを特徴とする。
上記第２態様によれば、前述の第１態様に係る調光装置と同様の効果を奏することができる。
【００１５】
本発明の第３態様に係るプロジェクターは、光源装置と、前記光源装置から出射された光束を変調する光変調装置と、前記光変調装置により変調された光束を投射する投射光学装置と、通過する光束の中心軸を挟んで配置され、前記光束の通過領域内にそれぞれ挿抜されて、前記通過領域内に配置された際に前記光束の少なくとも一部を遮蔽する一対の遮光部材を有し、前記光源装置から前記光変調装置に入射される光束の光路上に設けられる調光装置と、前記一対の遮光部材を冷却する空気を導くガイド部と、を備え、前記一対の遮光部材の少なくともいずれかは、前記光束の通過方向にそれぞれ離間して配置され、前記通過領域内にそれぞれ挿抜される入射側挿入部及び出射側挿入部を有し、前記ガイド部は、前記入射側挿入部及び前記出射側挿入部の間に空気を導くことを特徴とする。
上記第３態様によれば、前述の第１態様に係る調光装置と同様の効果を奏することができる。
【００１６】
上記第３態様では、前記調光装置を収納する光学部品用筐体を備え、前記ガイド部は、前記光学部品用筐体に設けられる筐体側ガイド部を含むことが好まし。
上記第３態様によれば、非可動部である光学部品用筐体に筐体側ガイド部が設けられる。従って、各挿入部の位置に関わらず、各挿入部に向かう空気の流路を安定的に形成できる。
【図面の簡単な説明】
【００１７】
【図１】本発明の第１実施形態に係るプロジェクターの構成を示す模式図。
【図２】上記第１実施形態に係る照明光学装置の構成を示す断面図。
【図３】上記第１実施形態における各遮光部材が全閉状態である調光装置を示す斜視図。
【図４】上記第１実施形態における各遮光部材が全閉状態である調光装置を示す斜視図。
【図５】上記第１実施形態における各遮光部材が全閉状態である調光装置を示す正面図。
【図６】上記第１実施形態における各遮光部材が全閉状態である調光装置を示す断面図。
【図７】上記第１実施形態における各遮光部材が全開状態である調光装置を示す側面図。
【図８】上記第１実施形態における各遮光部材が全閉状態である場合の空気の流れを説明する図。
【図９】本発明の第２実施形態に係るプロジェクターの要部の概略構成を示す断面図。
【発明を実施するための形態】
【００１８】
［第１実施形態］
以下、本発明の第１実施形態について、図面に基づいて説明する。
［プロジェクターの概略構成］
図１は、本実施形態に係るプロジェクター１の構成を示す模式図である。
本実施形態に係るプロジェクター１は、後述する一対の光源装置３１Ａ，３１Ｂから出射された光を変調し、変調された光をスクリーン等の被投射面上に拡大投射することで、当該被投射面上に画像を表示する画像表示装置である。このようなプロジェクター１は、図１に示すように、外装を構成する外装筐体２と、当該外装筐体２内に収納される光学ユニット３及び冷却装置ＣＵとを備える。この他、図示を省略するが、プロジェクター１は、当該プロジェクター１を制御する制御装置、及び、当該プロジェクター１を構成する電子部品に電力を供給する電源装置を備える。
これらのうち、冷却装置ＣＵは、詳しい図示を省略するが、冷却ファンと、当該冷却ファンから送出された空気を後述する調光装置５の下方に導くダクトとを備える。
【００１９】
［光学ユニットの構成］
光学ユニット３は、上記制御装置から入力される画像情報に応じた画像を形成及び投射する。この光学ユニット３は、光出射装置３１、照明光学装置３２、色分離光学装置３３、電気光学装置３４及び投射光学装置３５と、これらを収容及び支持する光学部品用筐体４とを備える。
これらのうち、光学部品用筐体４は、各種光学部品を収納する溝部（図示省略）が形成された部品収納部材と、当該部品収納部材に形成された部品収納用の開口部を閉塞する蓋状部材とを備え、これらは合成樹脂又は金属により形成されている。このような光学部品用筐体４には、光出射装置３１、照明光学装置３２及び色分離光学装置３３が、内部に設定された照明光軸Ａｘに対する所定位置に取り付けられる。
【００２０】
光出射装置３１は、互いに対向配置される一対の光源装置３１Ａ，３１Ｂと、当該一対の光源装置３１Ａ，３１Ｂの間に配置される反射ミラー３１Ｃと、を備える。
一対の光源装置３１Ａ，３１Ｂは、それぞれ光源ランプ３１１及びリフレクター３１２と、これら光源ランプ３１１及びリフレクター３１２を収納する収納体３１３とを備える。これら一対の光源装置３１Ａ，３１Ｂは、反射ミラー３１Ｃに向けて光束を射出するように当該反射ミラー３１Ｃを挟んで対向配置されている。
反射ミラー３１Ｃは、光源装置３１Ａ，３１Ｂから入射される光をそれぞれ同方向に反射させ、これにより、当該光を照明光学装置３２に入射させる。
【００２１】
照明光学装置３２は、光源装置３１Ａ，３１Ｂから出射された光束の中心軸に対する直交面内の照度を均一化する。この照明光学装置３２は、調光装置５、ＵＶフィルター３２１、第１レンズアレイ３２２、シネマフィルター３２３、第２レンズアレイ３２４、偏光変換素子３２５及び重畳レンズ３２６を有する。
【００２２】
図２は、照明光学装置３２を示す断面図である。なお、図２は、照明光軸Ａｘ（図１参照）を通る鉛直面における断面を図示しており、重畳レンズ３２６の図示を省略している。
調光装置５は、第１レンズアレイ３２２に入射される光の少なくとも一部を遮蔽して、当該第１レンズアレイ３２２、ひいては、電気光学装置３４に入射される光量を調整する。なお、調光装置５の構成については、後に詳述する。
【００２３】
ＵＶフィルター３２１は、光源装置３１Ａ，３１Ｂから出射された光束に含まれる紫外光を遮蔽する。ＵＶフィルター３２１は、調光装置５と第１レンズアレイ３２２との間に配置された板状部材である。このＵＶフィルター３２１は、図２に示すように、上方に向かうに従って調光装置５から離れる方向に傾斜している。これにより、ＵＶフィルター３２１に入射した光束の一部が、光源装置３１Ａ，３１Ｂに向かって反射されることを抑制できる。
【００２４】
第１レンズアレイ３２２は、図１及び図２において詳しい図示を省略するが、光源装置３１Ａ，３１Ｂから出射された光束を複数の部分光束に分割する複数の第１小レンズがマトリクス状に配列された構成を有する。また、第２レンズアレイ３２４は、第１レンズアレイ３２２の各第１小レンズに応じた複数の第２小レンズがマトリクス状に配列された構成を有する。そして、第２レンズアレイ３２４及び重畳レンズ３２６は、入射される各部分光束を後述する液晶パネル３４１の画像形成領域に照射して、当該画像形成領域を均一に照明する。
偏光変換素子３２５は、入射された光の偏光方向を一種類に揃える。
【００２５】
色分離光学装置３３は、図１に示すように、照明光学装置３２から入射される光束を、赤（Ｒ）、緑（Ｇ）及び青（Ｂ）の３つの色光に分離する。この色分離光学装置３３は、ダイクロイックミラー３３１，３３２、及び反射ミラー３３３〜３３６を有する。
電気光学装置３４は、分離された各色光を画像情報に応じて変調した後、変調された各色光を合成する。この電気光学装置３４は、それぞれ色光ごとに設けられる光変調装置としての３つの液晶パネル３４１（赤色光側の液晶パネルを３４１Ｒ、緑色光側の液晶パネルを３４１Ｇ、青色光側の液晶パネルを３４１Ｂとする）、３つの入射側偏光板３４２、及び３つの射出側偏光板３４３と、色合成光学装置としてのクロスダイクロイックプリズム３４４とを有する。
投射光学装置３５は、クロスダイクロイックプリズム３４４により合成された光束（画像を形成する光束）を前述の被投射面上に拡大投射する投射レンズである。
【００２６】
［調光装置の構成］
以下、調光装置５について説明する。
図３は、調光装置５を上方かつ光束出射側から見た斜視図である。図４は、調光装置５を上方かつ光束入射側から見た斜視図である。なお、図３及び図４は、後述する第１遮光部材８及び第２遮光部材９が全閉状態（遮光量が最も多い状態であり、各遮光部材８，９を最も近接させた状態）にある場合の調光装置５を示している。また、図４は、後述するフレーム６を構成する第２側面部６２を外した状態の調光装置５を示している。
また、以下の説明では、調光装置５を通過する光の進行方向をＺ方向とし、当該Ｚ方向に直交するとともに互いに直交する方向をＸ方向及びＹ方向とする。また、Ｙ方向を、プロジェクター１が設置台等に載置された場合の鉛直方向とは反対方向（上方に向かう方向）とし、Ｘ方向を、Ｚ方向に沿って見た際の右から左に向かう方向とする。なお、調光装置５を通過した光の進行方向は、上記ダイクロイックミラー３３１等により屈曲されるが、Ｘ、Ｙ及びＺ方向は、本明細書では、調光装置５に入射される時点での光の進行方向に基づいて設定されるものとする。また、例えば、Ｘ方向側とは、Ｘ方向先端側を指し、Ｘ方向とは反対側とは、Ｘ方向基端側を示す。
【００２７】
調光装置５は、図１に示すように、照明光軸Ａｘ上において反射ミラー３１ＣとＵＶフィルター３２１との間で、かつ、第１レンズアレイ３２２に対してＺ方向の反対側に配置され、第１レンズアレイ３２２に入射される光の一部を遮蔽する。この調光装置５は、図３及び図４に示すようにフレーム６と、駆動手段７と、第１遮光部材８及び第２遮光部材９とを備える。
なお、駆動手段７は、各遮光部材８，９を移動させる駆動力を発生させる。この駆動手段７の駆動は、前述の制御装置により制御される。なお、本実施形態では、駆動手段７は、ステッピングモーターにより構成されているが、他の構成を採用してもよい。
【００２８】
［フレームの構成］
フレーム６は、図３に示すように、駆動手段７及び各遮光部材８，９を保持する枠状の部材である。このフレーム６は、ＸＹ平面に沿って配置され、互いに対向する第１側面部６１及び第２側面部６２と、これら各側面部６１，６２のＹ方向とは反対側（下端側）を連結する第１連結部６３と、各側面部６１，６２のＹ方向側（上端側）を連結する第２連結部６４とを備える。
【００２９】
第１側面部６１は、略直方体形状に形成され、図３に示すように駆動手段７が取り付けられている。第１側面部６１の内部には、図示を省略するが、各遮光部材８，９を支持し、当該駆動手段７の駆動力により当該各遮光部材８，９を移動させるギア等の伝達手段が設けられている。この第１側面部６１には、図４に示すように、照明光軸Ａｘ（図１参照）に対する直交方向（Ｙ方向）に沿うガイド溝６１１，６１２が形成されている。本実施形態では、ガイド溝６１１は、ガイド溝６１２に対してＹ方向とは反対側、かつ、Ｚ方向側にずれて形成されている（図６参照）。
【００３０】
第２側面部６２は、図３に示すように、第１側面部６１ともに各遮光部材８，９をＹ方向に移動可能に保持する。この第２側面部６２は、Ｚ方向側に、ＸＹ平面に沿う板状のレール部６２１を有する。このレール部６２１に沿って、各遮光部材８，９がＹ方向に移動する。
【００３１】
第１連結部６３は、図３及び図４に示すように、中央部分に矩形状の第１開口部６３１を有する。第１開口部６３１は、ＺＸ平面に沿い、かつ、Ｙ方向に沿って見た際に後述する第１遮光部材８に重なる位置に設けられている（図６参照）。
この第１連結部６３には、Ｚ方向側の端部から、Ｙ方向に向かうに従って、Ｚ方向とは反対方向に向かって傾斜する整流部６３２（本発明のフレーム側ガイド部に相当）が設けられている。換言すると、整流部６３２は、Ｙ方向とは反対方向に向かうに従って第１遮光部材８から離れる方向（換言すると、Ｙ方向に向かうに従って第１遮光部材８に近接する方向）に傾斜する。
なお、整流部６３２は、冷却装置ＣＵ（図１参照）から送風された空気を整流する。調光装置５内部における空気の流れは後に詳述する。
【００３２】
第２連結部６４は、図３及び図４に示すように、中央部分に矩形状の第２開口部６４１を有する。第２開口部６４１は、ＺＸ平面に沿い、Ｙ方向において第１開口部６３１に応じた位置に設けられている（図６参照）。また、第２開口部６４１は、第１開口部６３１よりも開口の面積が大きい。
【００３３】
［第１遮光部材及び第２遮光部材の構成］
第１遮光部材８及び第２遮光部材９は、光束の通過領域内にそれぞれ挿抜されて、通過領域内に配置された際に光束の少なくとも一部を遮蔽する。これら各遮光部材８，９は、駆動手段７により、照明光軸Ａｘを挟んで配置され、当該照明光軸Ａｘに対する直交方向であるＹ方向に沿って互いに近接及び離間する方向に同じ寸法分だけ移動する。
第１遮光部材８は、図４に示すように、ガイド溝６１１に挿入され、第１側面部６１内部で支持される支持部８１と、当該支持部８１に連続しＸＹ平面に沿うように配置される出射側遮光部８２（本発明の出射側挿入部に相当）と、当該出射側遮光部８２の光束入射側に設けられた入射側遮光部８３（本発明の入射側挿入部に相当）とを有する。
【００３４】
出射側遮光部８２は、調光装置５を通過する光束の通過領域に挿入され、当該光束の少なくとも一部を遮蔽する。この出射側遮光部８２は、本実施形態では、ステンレス鋼により板状に形成されている。
この出射側遮光部８２のＸ方向側（すなわち第２側面部６２側）には、レール部６２１をＺ方向に挟持する挟持部８２１を有する。挟持部８２１は、Ｙ方向における中央部に形成され、Ｚ方向に起立した後、Ｘ方向に屈曲する屈曲部８２１Ａと、当該屈曲部８２１ＡをＹ方向に沿って挟み、Ｘ方向に延出する一対の延出部８２１Ｂとを有し、これらによりレール部６２１が挟持され（図２参照）、第１遮光部材８の移動が案内される。
【００３５】
また、出射側遮光部８２では、Ｙ方向側の端部に、Ｘ方向における中央部に向かうにつれてＹ方向に段階的に突出する突出部８２２を有する。すなわち、出射側遮光部８２では、Ｚ方向に沿って見た平面視において、Ｘ方向における中央位置に向かうにつれてＹ方向における寸法を大きくするための構成を採用している。
【００３６】
図５は、調光装置５をＺ方向に沿って見た正面図である。なお、図５は、第１遮光部材８及び第２遮光部材９が全閉状態にある場合の調光装置５を示している。
入射側遮光部８３は、出射側遮光部８２とともに上記光束の通過領域に挿入され、当該光束の少なくとも一部を遮蔽する。この入射側遮光部８３は、出射側遮光部８２と同じ金属（ステンレス鋼）により板状に形成されており、出射側遮光部８２の光束入射側に、当該出射側遮光部８２の入射側端面８２３に対向して設けられる。
入射側遮光部８３は、図５に示すように、Ｚ方向に沿って見た際に、入射側端面８２３のうち少なくとも突出部８２２を除く一部の領域を覆うように配置される。
入射側遮光部８３は、Ｘ方向の両端に出射側遮光部８２と接続される接続部を有し、これにより、光束が入射されることによって生じた熱を出射側遮光部８２との間で互いに熱伝導可能に接続されている。このような入射側遮光部８３は、上記光束を遮蔽するだけでなく、第１遮光部材８の放熱面積を拡大して、第１遮光部材８の冷却効率を向上させる機能を有する。
【００３７】
図６は、図５のＶＩ−ＶＩ線における調光装置５の断面図である。なお、図６は、第１遮光部材８及び第２遮光部材９が全閉状態にある場合の調光装置５を示している。
この入射側遮光部８３では、図４及び図６に示すように、Ｘ方向の両端部においてＺ方向に折曲した折曲部８３１が設けられている。
また、入射側遮光部８３のＹ方向とは反対側の端部には、Ｙ方向とは反対方向に向うに従ってＺ方向とは反対方向に傾斜した第１傾斜部８３２（本発明の挿入部側ガイド部に相当）が設けられている。更に、入射側遮光部８３のＹ方向側の端部には、Ｙ方向に向うに従ってＺ方向とは反対方向に傾斜した第２傾斜部８３３とが設けられている。
【００３８】
入射側遮光部８３は、折曲部８３１を出射側遮光部８２に溶接することで出射側遮光部８２に固定される。そして、出射側遮光部８２の入射側端面８２３と、入射側遮光部８３の出射側遮光部８２側の出射側端面８３４とが所定間隔を隔てて対向配置されることで、入射側端面８２３及び出射側端面８３４の間に空間Ｓ１が形成される（図６参照）。なお、整流部６３２のＹ方向側の端部は、全閉時においては、第１遮光部材８のＹ方向とは反対側の端部よりもＹ方向側に位置する。
【００３９】
第２遮光部材９は、上述の第１遮光部材８と一部同様に構成され、図３及び図４に示すように、ガイド溝６１２に挿入され、第１側面部６１内部で支持される支持部９１と、当該支持部９１に連続する出射側遮光部９２と、当該出射側遮光部９２に設けられた入射側遮光部９３とを有する。
なお、第２遮光部材９は、第１遮光部材８よりも光入射側（Ｚ方向とは反対側）に配置される。
【００４０】
出射側遮光部９２は、出射側遮光部８２と略同様の構成を有する。すなわち、出射側遮光部９２は、図４に示すように、Ｘ方向側に、屈曲部９２１Ａと一対の延出部９２１Ｂとを有し、レール部６２１を挟持する挟持部９２１が設けられる。また、出射側遮光部９２は、Ｙ方向の先端側に突出部９２２を有し、Ｚ方向に沿って見た平面視において、Ｘ方向における中央位置に向かうにつれてＹ方向における寸法が大きくなっている。
【００４１】
入射側遮光部９３は、図４に示すように出射側遮光部９２に入射側端面９２３に対向して設けられ、図５に示すようにＺ方向に沿って見た際に、入射側端面９２３のうち少なくとも突出部９２２を除く一部の領域を覆う。この入射側遮光部９３は、出射側遮光部９２との間で互いに熱伝導可能に接続され、上記光束を遮蔽するだけでなく、第２遮光部材９の放熱面積を拡大して冷却効率を向上させる機能を有する。
【００４２】
この入射側遮光部９３は、図４に示すようにＸ方向の両端部に設けられた折曲部９３１が出射側遮光部９２に溶接され固定される。また、入射側遮光部９３の下側の端部には、Ｙ方向とは反対方向に向うに従ってＺ方向とは反対方向に傾斜した第１傾斜部９３２が、上側の端部には、Ｙ方向に向うに従ってＺ方向とは反対方向に傾斜した第２傾斜部９３３が設けられている。
そして出射側遮光部９２の入射側端面９２３と、入射側遮光部９３の出射側端面９３４とが所定間隔を隔てて対向し、入射側端面９２３及び出射側端面９３４の間に空間Ｓ２が形成される（図６参照）。
【００４３】
図７は、第１遮光部材８及び第２遮光部材９が全開状態（遮光量が最も少ない状態）にある場合の調光装置５の側面図である。また、図７は、第２側面部６２を外した状態の調光装置５を示している。
図７に示す調光装置５では、各遮光部材８，９が最も離間した状態となっている。この全開状態から、上記のように、第１遮光部材８がＹ方向に移動し、第２遮光部材９がＹ方向とは反対方向に移動し、各遮光部材８，９が光束の通過領域内に挿入される。
ここで、図６に示す遮光部材８，９の全閉状態では、Ｚ方向に沿って見た際に出射側遮光部８２，９２の突出部８２２，９２２の少なくとも一部が重なる。この突出部８２２，９２２は、Ｘ方向における中央部ほどＹ方向の寸法が大きくなっている。従って、出射側遮光部８２，９２が互いに接近する方向に移動するにつれて、突出部８２２，９２２における重なり量を段階的に変更することができる。これにより、全閉状態の近傍で遮光量を徐々に増減させることができる。
【００４４】
［冷却空気の流れ］
以下、調光装置５を冷却する冷却空気の流れを説明する。
図８は、各遮光部材８，９が全閉状態にある場合の空気の流れを示す図である。ここで、以下の説明では、調光装置５が全閉状態の場合、すなわち遮光量が最も大きくなり各遮光部材８，９が高温になりやすい場合について説明する。
冷却装置ＣＵから送出された空気は、調光装置５の第１連結部６３に形成された第１開口部６３１を介して、当該第１開口部６３１に近い位置の第１遮光部材８から、遠い位置の第２遮光部材９に向かうＹ方向に流通して、これら遮光部材８，９を冷却する。
【００４５】
［第１遮光部の光束出射側を流通する空気の流れ］
第１開口部６３１から調光装置５に流入した空気は、フレーム側ガイド部としての整流部６３２に沿って、Ｙ方向に向かうに従ってＺ方向とは反対側に向かうように流通する。この整流部６３２に沿って流通する空気の一部は、Ａ１１方向に沿って出射側遮光部８２の出射側端面８２４に向かって流通する。
その後、空気は、出射側遮光部８２の出射側端面８２４及び出射側遮光部９２の光束出射側の出射側端面９２４に沿う方向であるＡ１２方向に沿って流通する。この際、出射側遮光部８２，９２の各出射側端面８２４，９２４に空気が当たることで出射側遮光部８２，９２が効率よく冷却される。出射側遮光部８２，９２を冷却した空気は、Ａ１２方向に沿って流通し、第２開口部６４１から調光装置５の外に流出する。
【００４６】
［第１遮光部の光束入射側を流通する空気の流れ］
第１開口部６３１から調光装置５に流入し整流部６３２に沿って流通する空気の一部は、Ａ２１方向（Ｙ方向に向かうに従ってＺ方向とは反対側に向かう方向）に沿って、出射側遮光部８２と入射側遮光部８３との間の空間Ｓ１に向かって流通する。このＡ２１方向に沿って流通する空気は、出射側遮光部８２と入射側遮光部８３との間の空間Ｓ１内に流入する。
【００４７】
一方、Ａ２１方向に流通する空気よりもＺ方向において、Ａ１１方向に流通する空気とは反対側を流通する空気も、同様に、Ｙ方向に向かうに従ってＺ方向とは反対側に向かう方向であるＡ２２方向に流通する。このＡ２２方向に沿って流通する空気は、入射側遮光部８３における挿入部側ガイド部としての第１傾斜部８３２に沿ってＡ２３方向に流通し、出射側遮光部８２と入射側遮光部８３との間の空間Ｓ１内に流入する。
【００４８】
この第１傾斜部８３２は、Ｙ方向とは反対方向に向うに従ってＺ方向とは反対方向に傾斜している。従って、第１傾斜部８３２は、Ｙ方向に向かって流通する空気を空間Ｓ１内に誘い込むことで、空間Ｓ１内に効率よく空気を流入させることができる。この空間Ｓ１内に流通する空気により、出射側遮光部８２と入射側遮光部８３とが冷却される。なお、第１傾斜部８３２の傾斜により、空気が流通するに従って空間Ｓ１の断面積が小さくなる、すなわち空気の流路が狭くなるため、空間Ｓ１内に誘い込む際に流速を増大させることができる。
【００４９】
その後、空間Ｓ１内を流通する空気は、入射側遮光部８３の第２傾斜部８３３に沿ってＡ２４方向に流通し、空間Ｓ１の外に流出する。
ここで、全閉状態において、第１遮光部材８の出射側遮光部８２及び第２遮光部材９の出射側遮光部９２とは、光束の通過領域の中心部分でＺ方向に重なって配置されている。そして、出射側遮光部８２に沿ってＹ方向に流通する空気の流路上に、出射側遮光部９２が配置されている。従って、出射側遮光部９２を避けて、Ｙ方向に向かうに従ってＺ方向とは反対方向に向かうＡ２４方向に流通方向が変更される。
この際、第２傾斜部８３３は、Ｙ方向に向かうに従ってＺ方向とは反対方向に向かって傾斜しているため、Ａ２４方向への流通方向の変更を妨げることを抑制でき、空間Ｓ１から効率よく空気を流出させることができる。
【００５０】
空間Ｓ１の外に流出した空気は、入射側遮光部９３の第１傾斜部９３２に沿ってＡ２５方向に流通し、出射側遮光部９２と入射側遮光部９３との間の空間Ｓ２内に流入する。この第１傾斜部９３２は、第１傾斜部８３２と同様に、Ｙ方向に向かうに従ってＺ方向に向かって傾斜している。従って、第１傾斜部９３２は、Ａ２４方向に沿って空間Ｓ１から流出した空気を、Ａ２５方向に沿って空間Ｓ２内に誘い込み、空間Ｓ２内に効率よく流入させることができる。
【００５１】
空間Ｓ２内に流入した空気は、Ａ２６方向に沿って流通する。すなわち、Ａ２６方向に沿って流通する空気は、空間Ｓ２内を流通した後、空間Ｓ２の外に流出する。この空間Ｓ２内に流通する空気により、出射側遮光部９２と入射側遮光部９３とが冷却される。出射側遮光部９２と入射側遮光部９３とを冷却した空気は、Ａ２６方向に沿って流通し、第２開口部６４１から調光装置５の外に流出する。
なお、各遮光部材８，９が全開状態でなく、全閉状態より開いた状態である場合も同様である。
【００５２】
［第１実施形態の効果］
以上説明した本実施形態に係るプロジェクター１によれば、以下の効果がある。
第１遮光部材８は、照明光軸Ａｘに沿った方向（光束の通過方向）に離間して配置される出射側遮光部８２及び入射側遮光部８３の間の空間Ｓ１に、第１遮光部材８及び第２遮光部材９を冷却する空気を導く整流部６３２及び第１傾斜部８３２を備える。
このような構成によれば、出射側遮光部８２及び入射側遮光部８３に向かう方向に流通する空気を効率よく空間Ｓ１に導くことができ、空間Ｓ１に流通する空気の流通量を増加させることができる。これにより、出射側遮光部８２及び入射側遮光部８３の冷却効率を向上させることができ、遮光部材８を適切に冷却できる。
【００５３】
また、入射側遮光部８３には、挿入部側ガイド部としての第１傾斜部８３２が設けられている。この第１傾斜部８３２は、出射側遮光部８２及び入射側遮光部８３に向かう方向に流通する空気を、より確実に空間Ｓ１に導くことができる。
また、第１傾斜部８３２は、Ｙ方向とは反対側に向かうに従ってＺ方向とは反対側に向かって、各遮光部８２，８３から離れる方向に傾斜する。このような構成では、Ａ２３に沿って流通する空気の流路が上流側の端部が拡径されるので、より確実に空間Ｓ１に空気を導くことができる。一方、Ａ２３に沿って流通する空気の流路である空間Ｓ１は、当該上流側の端部より下流側で狭くなるので、空間Ｓ１における流速を増大させることができ、冷却効率を一層向上させることができる。
【００５４】
また、フレーム６には、フレーム側ガイド部としての整流部６３２が設けられている。この整流部６３２は、第１遮光部材８の出射側遮光部８２及び入射側遮光部８３よりも、空気の流通方向の上流側に位置する。
このような構成では、光学部品用筐体４に固定された非可動部であるフレーム６に整流部６３２が設けられている。このため、整流部６３２の位置が固定される。従って、出射側遮光部８２及び入射側遮光部８３よりも空気の流路の上流側において、出射側遮光部８２及び入射側遮光部８３の位置に関わらず、出射側遮光部８２及び入射側遮光部８３に向かう流路（例えばＡ１１方向、Ａ２１方向及びＡ２２方向の流路）を安定的に形成できる。
【００５５】
また、全閉状態において、整流部６３２のＹ方向側の端部が、出射側遮光部８２及び入射側遮光部８３のＹ方向とは反対側の端部よりも、Ｙ方向側に位置する。
このような構成によれば、出射側遮光部８２及び入射側遮光部８３の位置に関わらず、整流部６３２のＹ方向側の端部が、第１遮光部材８のＹ方向とは反対側の端部よりもＹ方向側に位置する。このため、Ｙ方向に流通し、整流部６３２によって第１遮光部材８側に導かれた空気が、出射側遮光部８２及び入射側遮光部８３に到達する前に拡散することを抑制できる。従って、整流部６３２は、出射側遮光部８２及び入射側遮光部８３の間の空間Ｓ１により確実に空気を流通させることができる。
【００５６】
なお、上記実施形態では、Ｚ方向において、第１開口部６３１及び空間Ｓ１のそれぞれの中心位置がずれている。具体的には、第１開口部６３１の中心位置の方が、空間Ｓ１の中心位置よりもＺ方向側に位置する。このような構成でも、整流部６３２をＺ方向側に設けることにより、空間Ｓ１よりもＺ方向側に流入した空気を第１遮光部材８に向かって流通させることができる。
【００５７】
［第２実施形態］
以下、本発明の第２実施形態について説明する。
本実施形態に係るプロジェクターは、上記プロジェクター１と同様の構成を備える。ここで、当該プロジェクター１では、調光装置５のフレーム６に本発明のフレーム側ガイド部に相当する整流部６３２が設けられていた。これに対し、本実施形態に係るプロジェクターは、上記フレーム側ガイド部に代えて、本発明の筐体側ガイド部が光学部品用筐体に設けられている。また、第１遮光部材の出射側遮光部にも挿入部側ガイド部が設けられている。この点で、本実施形態に係るプロジェクターは、上記プロジェクター１と相違する。なお、以下の説明では、既に説明した部分と同一又は略同一である部分については説明を省略する。
【００５８】
図９は、第２実施形態に係るプロジェクター１Ａにおける調光装置５Ａの周囲の概略構成を模式的に示す断面図である。
プロジェクター１Ａは、光学部品用筐体４に代えて光学部品用筐体４Ａを有し、調光装置５に代えて調光装置５Ａを有する他は、上記プロジェクター１と同様の構成及び機能を有する。調光装置５Ａは、第１遮光部材８及びフレーム６に代えて第１遮光部材８Ａ及びフレーム６Ａを有する他は、上記調光装置５と同様の構成及び機能を有する。また、フレーム６Ａは、第１連結部６３に代えて、整流部６３２が設けられていない第１連結部６３Ａを有する他は、上記フレーム６と同様の構成を有する。
また、第１遮光部材８Ａは、出射側遮光部８２に代えて出射側遮光部８２Ａを有し、当該出射側遮光部８２Ａは、Ｙ方向とは反対側の端部に、Ｙ方向とは反対側に向かうに従ってＺ方向に向かって傾斜する第３傾斜部８２５（本発明の挿入部側ガイド部に相当）を有する。
【００５９】
このように構成された調光装置５Ａが、光学部品用筐体４Ａの所定の位置に取り付けられる。この光学部品用筐体４Ａは、第３開口部４１と、本発明の筐体側ガイド部に相当する第１整流部４２及び第２整流部４３とを有する。
第３開口部４１は、Ｙ方向に見て第１開口部６３１と重なる置位置に設けられている。冷却装置ＣＵ（図１参照）から送風された空気は、第３開口部４１及び第１開口部６３１を通り、調光装置５Ａの内部に流入する。
【００６０】
第１整流部４２は、第３開口部４１のＺ方向側に設けられ、第３開口部４１及び第１開口部６３１を通って調光装置５Ａの内部に流入した空気を、出射側遮光部８２Ａと入射側遮光部８３との間（空間Ｓ１）に導く。この第１整流部４２は、Ｙ方向に向かうに従ってＺ方向とは反対側に向かって傾斜する板状部材である。また、第１整流部４２のＹ方向の端部は、第３傾斜部８２５のＹ方向とは反対側の端部よりもＹ方向側に位置する。
【００６１】
第２整流部４３は、第３開口部４１のＺ方向とは反対側に設けられ、第３開口部４１及び第１開口部６３１を通って調光装置５Ａの内部に流入した空気を、出射側遮光部８２Ａと入射側遮光部８３との間（空間Ｓ１）に導く。この第２整流部４３は、Ｙ方向に向かうに従ってＺ方向とは反対側に向かって傾斜する板状部材である。また、第２整流部４３のＹ方向の端部は、第１傾斜部８３２のＹ方向とは反対側の端部よりもＹ方向側に位置する。
【００６２】
［冷却空気の流れ］
以下、プロジェクター１Ａ及び調光装置５Ａにおける冷却空気の流れを説明する。
冷却装置ＣＵから送出された空気は、遮光部材８Ａ，９Ａを冷却する。
具体的には、第１開口部６３１から調光装置５Ａに流入した空気の一部は、第１整流部４２に沿ってＡ３１方向に流通する。このＡ３１方向に沿って流通する空気は、第３傾斜部８２５に沿ってＡ３２方向に流通し、空間Ｓ１内に流入する。
また、第１開口部６３１から調光装置５Ａに流入した空気の一部は、第２整流部４３に沿ってＡ３３方向に流通する。このＡ３３方向に沿って流通する空気は、第１傾斜部８３２に沿ってＡ３４方向に流通し、空間Ｓ１内に流入する。
【００６３】
以降、第１実施形態と同様に、空間Ｓ１内を流通する空気は、Ａ２４方向、Ａ２５方向、及びＡ２６方向に流通して、第１遮光部材８Ａ及び第２遮光部材９を冷却する。第１遮光部材８Ａ及び第２遮光部材９を冷却した空気は、第２連結部６４の第２開口部６４１を介して、調光装置５Ａ外に排出される。
【００６４】
［第２実施形態の効果］
以上説明した本実施形態に係るプロジェクター１Ａによれば、以下の効果がある。
各整流部４２，４３が光学部品用筐体４Ａに設けられる。このような構成では、非可動部である光学部品用筐体４Ａに各整流部４２，４３が設けられている。このため、各整流部４２，４３の位置が固定される。従って、出射側遮光部８２Ａ及び入射側遮光部８３よりも流路の上流側（すなわちＹ方向基端側）において、出射側遮光部８２Ａ及び入射側遮光部８３の位置に関わらず、出射側遮光部８２Ａ及び入射側遮光部８３に向かう流路（例えばＡ３１方向及びＡ３３の流路）を安定的に形成できる。
【００６５】
また、第１整流部４２は、流通方向（すなわちＡ３１方向）における下流側の先端部が、第１遮光部材８Ａに設けられた第３傾斜部８２５の下流側の先端部よりも、下流側に位置する。
このような構成では、第１遮光部材８Ａの位置に関わらず、流通方向において、第１整流部４２及び出射側遮光部８２Ａが重なる部分が存在する。このため、第１整流部４２に導かれた空気が、出射側遮光部８２Ａに到達する前に拡散することを抑制できる。従って、第１整流部４２は、空間Ｓ１により確実に空気を流通させることができる。
なお、第２整流部４３及び入射側遮光部８３についても同様である。
【００６６】
［実施形態の変形］
本発明は上記各実施形態に限定されるものではなく、本発明の目的を達成できる範囲での変形、改良等は本発明に含まれるものである。
上記第各実施形態では、挿入部側ガイド部に相当する第１傾斜部８３２（第２実施形態では第３傾斜部８２５も備える）と、フレーム側ガイド部に相当する整流部６３２（第２実施形態ではフレーム側ガイド部に代えた筐体側ガイド部に相当する各整流部４２，４３）とを同時に備える構成としたが、本発明はこれに限らない。すなわち、挿入部側ガイド部、フレーム側ガイド部、及び筐体側ガイド部の少なくともいずれかを備える構成としてもよい。
なお、調光装置５，５Ａを挟むように配置された各光学部品のうち、調光装置５，５Ａから遠い位置に配置された光学部品側に、フレーム側ガイド部又は筐体側ガイド部を設けてもよい。この場合、調光装置と光学部品との間に形成されたスペースのうち、広い方のスペースが形成されている側にガイド部が設けられており、当該広い方のスペースに気流が拡散することを好適に抑制できる。
【００６７】
上記第１実施形態では、ガイド部に相当する整流部６３２を第１開口部６３１のＺ方向側に設ける構成を例示したが、本発明はこれに限らず、Ｚ方向とは反対側にもガイド部を設ける構成としてもよく、Ｚ方向とは反対側のみにガイド部を設ける構成としてもよい。また、Ｚ方向に限らず、Ｘ方向における第１開口部６３１の両側の少なくとも一方にガイド部を設けてもよい。また、第１開口部６３１に対して、Ｚ方向の両側にはガイド部を設けず、Ｘ方向の両側の少なくとも一方にのみガイド部を設ける構成としてもよい。第２実施形態についても同様である。
【００６８】
上記第１実施形態では、入射側遮光部８３，９３は、出射側遮光部８２，９２の入射側端面８２３，９２３にそれぞれ固定されるとしたが、入射側遮光部８３，９３は出射側遮光部８２，９２に固定されていなくてもよく、これらが別体として設けられ、出射側遮光部８２，９２の進退に応じて入射側遮光部８３，９３が同方向に同量移動する構成としてもよい。なお、第２実施形態についても同様である。
【００６９】
上記各実施形態では、調光装置５，５Ａは、第１レンズアレイ３２２のＺ方向とは反対側に配置されていたが、本発明はこれに限らない。すなわち、液晶パネル３４１に入射される光量を調整可能であれば、他の場所に設けられていてもよい。例えば、調光装置５，５Ａは、第１レンズアレイ３２２と第２レンズアレイ３２４との間に配置されていてもよい。
【００７０】
上記各実施形態では、第１遮光部材８，８Ａ及び第２遮光部材９は、Ｙ方向に沿って移動するとしたが、本発明はこれに限らない。すなわち、入射される光束の中心軸に対する直交方向にそれぞれ移動し、当該光束の少なくとも一部を遮光可能な構成であれば、第１遮光部材８，８Ａ及び第２遮光部材９が移動する方向は問わない。
【００７１】
上記各実施形態では、出射側遮光部８２及び入射側遮光部８３に沿って送風される空気の流通方向が、Ｙ方向に沿うとしたが、本発明はこれに限らない。すなわち、空気の流通方向が第１遮光部材８，８Ａからび第２遮光部材９に亘って当該空気が流通する方向であればよく、Ｙ方向に沿う方向に限らない。
【００７２】
上記各実施形態では、出射側挿入部及び入射側挿入部としての出射側遮光部８２及び入射側遮光部８３は、光束の通過領域内にそれぞれ挿入され、それぞれ入射される光を遮蔽する構成とした。しかしながら、本発明はこれに限らない。例えば、入射側遮光部８３のみにより、当該光束の一部を遮蔽し、出射側遮光部８２は、光を遮蔽しない構成としてもよい。第２遮光部材９の出射側遮光部及び入射側遮光部も同様である。
【００７３】
上記各実施形態では、第１遮光部材８，８Ａに第２傾斜部８３３が設けられる構成としたが、本発明はこれに限らず、第２傾斜部８３３を設けなくてもよい。同様に、第２遮光部材９に、第１傾斜部９３２及び第２傾斜部９３３を設ける構成としたが、本発明はこれに限らず、第１傾斜部９３２及び第２傾斜部９３３の少なくともいずれかを設けない構成としてもよい。
【００７４】
上記各実施形態では、２つの光源装置３１Ａ，３１Ｂを備える構成を例示したが、本発明はこれに限らない。すなわち、１つ又は３つ以上の光源装置を備える構成を採用してもよい。
上記各実施形態では、プロジェクター１，１Ａは、光変調装置として３つの液晶パネル３４１を備えていたが、本発明はこれに限らない。すなわち、２つ以下、あるいは、４つ以上の液晶パネルを用いたプロジェクターにも、本発明を適用可能である。
また、上記各実施形態では、光学ユニット３における各光学部品の配置位置は適宜変更かのうであり、例えば、平面視略Ｌ字形状を有する構成や、平面視略Ｕ字形状を有する構成を採用してもよい。
更に、上記各実施形態では、光束入射面と光束射出面とが異なる透過型の液晶パネル３４１を採用したが、光入射面と光射出面とが同一となる反射型の液晶パネルを用いてもよい。
【００７５】
上記各実施形態では、光変調装置として液晶パネル３４１を備えたプロジェクター１，１Ａを例示したが、入射光束を画像情報に応じて変調可能な光変調装置であれば、他の構成の光変調装置を採用してもよい。例えば、マイクロミラーを用いたデバイスなど、液晶以外の光変調装置を用いたプロジェクターにも、本発明を適用することは可能である。このような光変調装置を用いた場合、各偏光板３４２，３４３は省略することができる。
【符号の説明】
【００７６】
１，１Ａ…プロジェクター、４，４Ａ…光学部品用筐体、５，５Ａ…調光装置、６，６Ａ…フレーム、８，８Ａ…第１遮光部材（遮光部材）、９…第２遮光部材（遮光部材）、３１Ａ，３１Ｂ…光源装置、３５…投射光学装置、４２…第１整流部（筐体側ガイド部）、４３…第２整流部（筐体側ガイド部）、８２，８２Ａ，９２…出射側遮光部（出射側挿入部）、８３，９３…入射側遮光部（入射側挿入部）、３４１…液晶パネル（光変調装置）、６３２…整流部（フレーム側ガイド部）、８２５…第３傾斜部（挿入部側ガイド部）、８３２，９３２…第１傾斜部（挿入部側ガイド部）。
【図１】
2015169868.tif 000003
【図２】
2015169868.tif 000004
【図３】
2015169868.tif 000005
【図４】
2015169868.tif 000006
【図５】
2015169868.tif 000007
【図６】
2015169868.tif 000008
【図７】
2015169868.tif 000009
【図８】
2015169868.tif 000010
【図９】
2015169868.tif 000011